(57)【要約】【課題】シングルタッチとマルチタッチを精度良く切り分けることができる操作検出装置を提供する。【解決手段】操作検出装置１は、選択されたＸ電極１０１及びＹ電極１０２に基づく容量値Ｓ２を出力する検出部１２と、容量値Ｓ２の変化の基準となる基準値１６０、及び操作を判定するための操作しきい値１６１を有し、容量値Ｓ２と基準値１６０との差分を算出し、操作しきい値１６１と差分とを比較する比較部１６と、比較部１６による比較結果に基づいて操作しきい値１６１より大きい差分を有する検出点群１８０を上下左右斜めの８近傍で連結する８連結領域１８１に分割する分割部１８と、分割した８連結領域１８１ごとに操作面１０における操作位置を算出する制御部２０と、を備えて概略構成されている。【選択図】図１
2016218596.tif 000002
【特許請求の範囲】
【請求項１】
操作がなされる操作面の下方に互いに絶縁されて配置された、第１の方向に並んだ複数の第１の電極、及び前記第１の方向に交差する第２の方向に並んだ複数の第２の電極を走査して選択された第１の電極及び第２の電極に基づく容量値を出力する検出部と、
前記容量値の変化の基準となる基準値、及び前記操作を判定するための操作しきい値を有し、前記容量値と前記基準値との差分を算出し、前記操作しきい値の絶対値と前記差分の絶対値とを比較する比較部と、
前記比較部による比較結果に基づいて前記操作しきい値の絶対値より大きい前記差分の絶対値を有する検出点群を上下左右斜めの８近傍で連結する８連結領域に分割する分割部と、
分割した前記８連結領域ごとに前記操作面における操作位置を算出する算出部と、
を備えた操作検出装置。
【請求項２】
前記分割部は、前記８連結領域に存在する８近傍で最も大きい前記差分を有する検出点をピーク点と定め、定めた前記ピーク点が複数存在する場合、さらに前記８連結領域を上下左右の４近傍で連結する４連結領域に分割し、
前記算出部は、前記４連結領域ごとに前記操作位置を算出する、
請求項１に記載の操作検出装置。
【請求項３】
前記分割部は、前記８連結領域において最も大きい前記差分を有する複数の検出点が８近傍で連結している場合、連結している検出点を１つのピーク点とする、
請求項２に記載の操作検出装置。
【発明の詳細な説明】
【技術分野】
【０００１】
本発明は、操作検出装置に関する。
【背景技術】
【０００２】
従来の技術として、検出した静電容量値を座標位置ごとに出力するタッチパネルと、静電容量値と閾値とを比較し、該閾値を超える静電容量値が、タッチパネルの接触面上に分布する分布領域を検出する領域検出部と、検出された分布領域の偏平度合に基づく形状情報を生成する生成部と、形状情報に基づいてシングルタッチかマルチタッチかを決定する決定部と、を有する入力装置が知られている（例えば、特許文献１参照。）。
【０００３】
シングルタッチの場合は、分布形状が接触位置を中心に真円形状に近くなる傾向があり、マルチタッチの場合は、接触面への接触位置が複数あるために分布形状が楕円形などの非円形状になる。従って入力装置は、偏平度合いが小さいほど分布形状が真円形状に近いので、シングルタッチであると決定することができる。
【先行技術文献】
【特許文献】
【０００４】
【特許文献１】特開２０１４−１８６５３０号公報
【発明の概要】
【発明が解決しようとする課題】
【０００５】
しかし、従来の入力装置は、タッチパネルの設置場所などにより、操作者が指を寝かせ気味にタッチした場合、分布領域の偏平度合が大きくなってマルチタッチとされる可能性があり、シングルタッチとマルチタッチの判定精度に問題がある。
【０００６】
従って、本発明の目的は、シングルタッチとマルチタッチを精度良く切り分けることができる操作検出装置を提供することにある。
【課題を解決するための手段】
【０００７】
本発明の一態様は、操作がなされる操作面の下方に互いに絶縁されて配置された、第１の方向に並んだ複数の第１の電極、及び第１の方向に交差する第２の方向に並んだ複数の第２の電極を走査して選択された第１の電極及び第２の電極に基づく容量値を出力する検出部と、容量値の変化の基準となる基準値、及び操作を判定するための操作しきい値を有し、容量値と基準値との差分を算出し、操作しきい値の絶対値と差分の絶対値とを比較する比較部と、比較部による比較結果に基づいて操作しきい値の絶対値より大きい差分の絶対値を有する検出点群を上下左右斜めの８近傍で連結する８連結領域に分割する分割部と、分割した８連結領域ごとに操作面における操作位置を算出する算出部と、を備えた操作検出装置を提供する。
【発明の効果】
【０００８】
本発明によれば、シングルタッチとマルチタッチを精度良く切り分けることができる。
【図面の簡単な説明】
【０００９】
【図１】図１（ａ）は、実施の形態に係る操作検出装置が搭載された車両内部の一例を示す概略図であり、図１（ｂ）は、操作検出装置の一例を示すブロック図である。
【図２】図２（ａ）は、実施の形態に係る操作検出装置の操作面になされたシングルタッチの一例を示す概略図であり、図２（ｂ）は、図２（ａ）のシングルタッチによって得られた比較情報の一例をテーブルとして示す概略図であり、図２（ｃ）は、操作面になされたマルチタッチの一例をテーブルとして示す概略図であり、図２（ｄ）は、図２（ｃ）のマルチタッチによって得られた比較情報の一例を示す概略図である。
【図３】図３は、実施の形態に係る操作検出装置の動作の一例を示すフローチャートである。
【発明を実施するための形態】
【００１０】
（実施の形態の要約）
実施の形態に係る操作検出装置は、操作がなされる操作面の下方に互いに絶縁されて配置された、第１の方向に並んだ複数の第１の電極、及び第１の方向に交差する第２の方向に並んだ複数の第２の電極を走査して選択された第１の電極及び第２の電極に基づく容量値を出力する検出部と、容量値の変化の基準となる基準値、及び操作を判定するための操作しきい値を有し、容量値と基準値との差分を算出し、操作しきい値の絶対値と差分の絶対値とを比較する比較部と、比較部による比較結果に基づいて操作しきい値の絶対値より大きい差分の絶対値を有する検出点群を上下左右斜めの８近傍で連結する８連結領域に分割する分割部と、分割した８連結領域ごとに操作面における操作位置を算出する算出部と、を備えて概略構成されている。
【００１１】
この操作検出装置は、操作が検出された検出点群を８近傍で連結する８連結領域に分割し、分割した８連結領域における操作位置を算出するので、操作指を寝かして操作面に接触させた場合であっても一つの領域として操作位置を算出するので、シングルタッチとマルチタッチを精度良く切り分けることができる。
【００１２】
[実施の形態]
（操作検出装置１の全体構成）
図１（ａ）は、実施の形態に係る操作検出装置が搭載された車両内部の一例を示す概略図であり、図１（ｂ）は、操作検出装置の一例を示すブロック図である。なお、以下に記載する実施の形態に係る各図において、図形間の比率は、実際の比率とは異なる場合がある。また図１（ｂ）では、主な信号や情報の流れを矢印で示している。
【００１３】
操作検出装置１は、例えば、図１（ａ）に示すように、車両５の運転席と助手席の間に延びるフロアコンソール５０に配置されている。この操作検出装置１は、フロアコンソール５０から露出する面が操作面１０となっている。なお操作検出装置１の配置は、フロアコンソール５０に限定されない。
【００１４】
操作検出装置１は、例えば、電磁気的に接続され、車両５に搭載された電子機器を操作可能に構成されている。操作検出装置１は、例えば、導電性を有するペンや指による操作により、電子機器に表示されたカーソルの移動や選択、表示されたアイコンの選択、決定、ドラッグ、ドロップ等の指示を行う、静電容量方式のタッチパッドである。
【００１５】
この電子機器は、例えば、ナビゲーション装置、空調装置、音楽再生装置及び映像再生装置などである。車両５の表示装置８は、この電子機器の表示部として機能する。
【００１６】
この操作検出装置１は、操作がなされる操作面１０の下方に互いに絶縁されて配置された、第１の方向に並んだ複数の第１の電極、及び第１の方向に交差する第２の方向に並んだ複数の第２の電極を走査して選択された第１の電極及び第２の電極に基づく容量値Ｓ２を出力する検出部１２と、容量値Ｓ２の変化の基準となる基準値１６０、及び操作を判定するための操作しきい値１６１を有し、容量値Ｓ２と基準値１６０との差分を算出し、操作しきい値１６１の絶対値と差分の絶対値とを比較する比較部１６と、比較部１６による比較結果に基づいて操作しきい値１６１の絶対値より大きい差分の絶対値を有する検出点群１８０を上下左右斜めの８近傍で連結する８連結領域１８１に分割する分割部１８と、分割した８連結領域１８１ごとに操作面１０における操作位置を算出する算出部としての制御部２０と、を備えて概略構成されている。
【００１７】
（検出部１２の構成）
検出部１２は、第１の方向としてのＹ軸方向に並んだ複数の第１の電極としてのＸ電極１０１を有している。また検出部１２は、Ｙ軸方向に交差する第２の方向としてのＸ軸方向に並んだ複数の第２の電極としてのＹ電極１０２を有している。
【００１８】
この検出部１２は、図１（ｂ）に示すように、駆動部１３と、読出部１４と、を備えて概略構成されている。駆動部１３及び読出部１４は、制御部２０に電気的に接続されている。
【００１９】
ここで操作面１０に設定されたＸＹ座標は、例えば、図１（ｂ）に示すように、操作面１０の左下を原点とし、横方向がＸ軸、縦方向がＹ軸となっている。
【００２０】
Ｘ軸に直交する方向には、（ｎ＋１）個のＸ電極１０１が等間隔で並んでいる。なおｎは、例えば、正の整数である。（ｎ＋１）個のＸ電極１０１は、例えば、駆動部１３に電気的に接続されている。
【００２１】
Ｙ軸に直交する方向には、（ｍ＋１）個のＹ電極１０２が等間隔で並んでいる。なおｍは、例えば、正の整数である。（ｍ＋１）個のＹ電極１０２は、例えば、読出部１４に電気的に接続されている。
【００２２】
以下において、Ｘ軸の座標は、Ｘに下付きの数字（０〜ｎ）を付して、左から右に向かってＸ０〜Ｘｎと示すものとする。また、Ｙ軸の座標は、Ｙに下付きの数字（０〜ｍ）を付して、下から上に向かってＹ０〜Ｙｍと示すものとする。
【００２３】
駆動部１３は、制御部２０から出力された駆動信号Ｓ１によって選択的に駆動される。駆動部１３は、Ｘ０〜Ｘｎの順に、選択的にＸ電極１０１に駆動信号Ｓ１を供給する。
【００２４】
また読出部１４は、ＸｉのＸ電極１０１が駆動されると（ｉは０〜ｎの整数）、Ｙ０〜Ｙｍの順に、選択的にＹ電極１０２と接続して容量値Ｓ２を制御部２０に出力する。この容量値Ｓ２は、選択されたＸ電極１０１とＹ電極１０２に基づいて得られた静電容量である。
【００２５】
この静電容量は、アナログ値である。本実施の形態の読出部１４は、選択されたＸ電極１０１とＹ電極１０２に基づく静電容量を読み出し、デジタル変換処理を行ってアナログ値をデジタル値とする。従って容量値Ｓ２は、デジタル値である。なお容量値Ｓ２は、操作者の操作指が操作面１０に接触した際には、正の値となるものとする。
【００２６】
ここで以下では、選択されたＸ電極１０１とＹ電極１０２に基づいて得られた容量値Ｓ２の記載は、記載を簡略化するため、選択されたＸ電極１０１とＹ電極１０２が立体交差する交点１０３を用いて「交点１０３における容量値Ｓ２」などのような記載とする。
【００２７】
（比較部１６の構成）
図２（ａ）は、実施の形態に係る操作検出装置の操作面になされたシングルタッチの一例を示す概略図であり、図２（ｂ）は、図２（ａ）のシングルタッチによって得られた比較情報の一例をテーブルとして示す概略図であり、図２（ｃ）は、操作面になされたマルチタッチの一例をテーブルとして示す概略図であり、図２（ｄ）は、図２（ｃ）のマルチタッチによって得られた比較情報の一例を示す概略図である。
【００２８】
比較部１６は、上述のように、基準値１６０及び操作しきい値１６１を有している。この基準値１６０とは、例えば、操作面１０に導電性を有する物体が接触及び接近していない状態の容量値に基づいて定められる。この基準値１６０は、一例として、ゼロとなるように定められる。従って本実施の形態では、読み出した容量値Ｓ２と基準値１６０との差分は、容量値となる。なお基準値１６０は、ゼロ以外の値であっても良い。基準値１６０は、例えば、導電性異物の付着などによるキャリブレーションによってゼロとは異なる値とされても良い。
【００２９】
操作しきい値１６１は、操作面１０に操作指が接触した際の容量値Ｓ２が正であることから、正のしきい値となる。従って比較部１６は、例えば、容量値Ｓ２と基準値１６０の差分が、操作しきい値１６１より大きい場合、操作がなされたとして当該差分が得られた交点１０３を操作の検出点とする。
【００３０】
比較部１６は、例えば、１周期分の比較の結果を比較情報Ｓ３として制御部２０に出力する。この比較情報Ｓ３は、例えば、交点１０３ごとの容量値Ｓ２と、操作しきい値１６１より大きい容量値Ｓ２を有する検出点の情報を含んでいる。
【００３１】
図２（ｂ）及び図２（ｄ）は、この比較情報Ｓ３をテーブル１６３及びテーブル１６４として表現したものであり、数字がデジタル化された容量値Ｓ２を示している。図２（ｂ）及び図２（ｄ）は、Ｘ０〜Ｘ３、Ｙ０〜Ｙ３の範囲のみを図示している。また図２（ｂ）及び図２（ｄ）における右肩下がりの斜線は、操作しきい値１６１より大きい容量値Ｓ２を有する交点１０３、すなわち検出点１６５を示している。この操作しきい値１６１は、一例として、３０としている。さらに図２（ｂ）及び図２（ｄ）では、後述するピーク点１８５が右肩上がりの斜線によって示されている。
【００３２】
従って検出点群１８０とは、テーブル１６３及びテーブル１６４の斜線が付された検出点１６５の集まりである。
【００３３】
（分割部１８の構成）
分割部１８は、制御部２０を介して比較部１６から取得した比較情報Ｓ３に基づいて、検出点群１８０を８近傍で連結する８連結領域１８１に分割する。言い換えるなら分割部１８は、検出点群１８０を８近傍でラベリング処理を行って、検出点群１８０を８連結領域１８１に分割する。
【００３４】
この８近傍とは、例えば、図２（ｂ）に示す（Ｘ２、Ｙ１）の検出点１６５の場合、（Ｘ１、Ｙ０）、（Ｘ２、Ｙ０）、（Ｘ３、Ｙ０）、（Ｘ１、Ｙ１）、（Ｘ３、Ｙ１）、（Ｘ１、Ｙ２）、（Ｘ２、Ｙ２）及び（Ｘ３、Ｙ２）の８つの交点１０３を示している。
【００３５】
また８近傍で連結するとは、一の検出点１６５の８近傍の交点１０３に他の検出点１６５が存在する場合、一の検出点１６５と他の検出点１６５を連結して１つの領域とすることである。具体的には、図２（ｂ）に示す（Ｘ２、Ｙ１）が一の検出点１６５である場合、８近傍の（Ｘ１、Ｙ２）が他の検出点１６５である。従って分割部１８は、（Ｘ１、Ｙ２）及び（Ｘ２、Ｙ１）の検出点１６５で構成される領域を８連結領域１８１とする。図２（ｂ）及び図２（ｄ）では、８連結領域１８１を一点鎖線で示している。
【００３６】
なお図２（ｄ）の８連結領域１８１は、一点鎖線で囲まれた（Ｘ０、Ｙ２）、（Ｘ０、Ｙ３）、（Ｘ１、Ｙ２）、（Ｘ１、Ｙ３）、（Ｘ２、Ｙ０）、（Ｘ２、Ｙ１）、（Ｘ３、Ｙ０）及び（Ｘ３、Ｙ１）の検出点１６５で構成される領域である。
【００３７】
また分割部１８は、８連結領域１８１に存在する８近傍で最も大きい差分を有する検出点１６５をピーク点１８５と定め、定めたピーク点１８５が複数存在する場合、さらに８連結領域１８１を上下左右の４近傍で連結する４連結領域１８２に分割する。制御部２０は、４連結領域１８２ごとに操作位置を算出する。
【００３８】
この４近傍とは、例えば、図２（ｂ）に示す（Ｘ２、Ｙ１）の検出点１６５の場合、（Ｘ２、Ｙ０）、（Ｘ１、Ｙ１）、（Ｘ３、Ｙ１）及び（Ｘ２、Ｙ２）の４つの交点１０３を示している。
【００３９】
また４近傍で連結するとは、例えば、図２（ｄ）に示すように、（Ｘ１、Ｙ３）及び（Ｘ２、Ｙ０）の複数のピーク点１８５が８連結領域１８１に存在する場合、８連結領域１８１の検出点１６５ごとに４近傍で検出点１６５を連結することである。
【００４０】
図２（ｄ）の（Ｘ０、Ｙ２）、（Ｘ１、Ｙ２）、（Ｘ０、Ｙ３）及び（Ｘ１、Ｙ３）の検出点１６５は、それぞれ４近傍で連結できる。しかし、（Ｘ１、Ｙ２）と（Ｘ２、Ｙ１）の検出点１６５は、４近傍では連結できない。
【００４１】
従って図２（ｄ）に示す８連結領域１８１は、（Ｘ０、Ｙ２）、（Ｘ１、Ｙ２）、（Ｘ０、Ｙ３）及び（Ｘ１、Ｙ３）の検出点１６５によって形成される４連結領域１８２と、（Ｘ２、Ｙ０）、（Ｘ３、Ｙ０）、（Ｘ２、Ｙ１）及び（Ｘ３、Ｙ１）の検出点１６５によって形成される４連結領域１８２と、に分割される。なお図２（ｄ）では、４連結領域１８２は、二点鎖線で示されている。
【００４２】
ここで図２（ｂ）は、図２（ａ）に示すように、操作指９０を寝かせた状態で操作面１０にシングルタッチした際の差分の一例を示している。この操作指９０が操作面１０に接触する接触領域９５は、例えば、図２（ａ）に示すように、細長い領域となる。
【００４３】
この接触領域９５に応じて（Ｘ１、Ｙ２）及び（Ｘ２、Ｙ１）の交点１０３が検出点１６５として検出されるので、マルチタッチと誤判定される可能性がある。
【００４４】
しかし分割部１８は、（Ｘ１、Ｙ２）及び（Ｘ２、Ｙ１）の検出点１６５を１つの領域とするので、その後の処理によってマルチタッチと誤判定されない。
【００４５】
また図２（ｄ）は、図２（ｃ）に示すように、操作指９１及び操作指９２によってマルチタッチした際の差分の一例を示している。この操作指９１が操作面１０に接触する接触領域９６、及び操作指９２が操作面１０に接触する接触領域９７は、それぞれ指の腹の形状に応じた楕円形に近い領域となる。
【００４６】
この接触領域９６に応じて（Ｘ０、Ｙ２）、（Ｘ１、Ｙ２）、（Ｘ０、Ｙ３）及び（Ｘ１、Ｙ３）の検出点１６５が検出され、接触領域９７に応じて（Ｘ２、Ｙ０）、（Ｘ３、Ｙ０）、（Ｘ２、Ｙ１）及び（Ｘ３、Ｙ１）の検出点１６５が検出されている。この８つの検出点１６５は、近接していることから、操作指を寝かせてなされた操作として１つの領域とされ、シングルタッチと誤判定される可能性がある。
【００４７】
しかし分割部１８は、複数のピーク点１８５が８連結領域１８１に存在する場合、４連結する領域に分割するので、８連結領域１８１が２つの４連結領域１８２に分割され、シングルタッチと誤判定されない。
【００４８】
分割部１８は、８連結領域１８１及び４連結領域１８２の情報を連結情報Ｓ４として制御部２０に出力する。
【００４９】
なお分割部１８は、８連結領域１８１において最も大きい差分を有する複数の検出点１６５が８近傍で連結している場合、連結している検出点１６５を１つのピーク点１８５とする。分割部１８は、一例として、図２（ｄ）の（Ｘ０、Ｙ３）の検出点１６５の値が（Ｘ１、Ｙ３）の検出点１６５の値である「４０」であった場合、この（Ｘ０、Ｙ３）及び（Ｘ１、Ｙ３）の検出点１６５をピーク点１８５とする。
【００５０】
（制御部２０の構成）
制御部２０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部２０が動作するためのプログラムが格納されている。ＲＡＭは、例えば、一時的に演算結果などを格納する記憶領域として用いられる。また制御部２０は、その内部にクロック信号を生成する手段を有し、このクロック信号に基づいて動作を行う。
【００５１】
この制御部２０は、分割部１８から取得した連結情報Ｓ４に基づいて８連結領域１８１及び４連結領域１８２ごとに操作位置を算出する。この操作位置の算出は、例えば、各領域において重心を求め、その重心の位置を操作位置とするように行われる。なお制御部２０は、８連結領域１８１が４連結領域１８２に分割されている場合は、４連結領域１８２を優先して操作位置を算出する。
【００５２】
制御部２０は、算出した操作位置の情報を含む操作情報Ｓ５を生成し、接続された電子機器に出力する。
【００５３】
以下に、本実施の形態に係る操作検出装置１の動作について、図３のフローチャートに従って説明する。
【００５４】
（動作）
操作検出装置１は、車両５の電源が投入されると、制御部２０が駆動信号Ｓ１を生成して駆動部１３に出力し、読出部１４が容量値Ｓ２を読み出し、制御部２０を介して比較部１６に出力する。
【００５５】
比較部１６は、取得した容量値Ｓ２と基準値１６０とに基づいて差分を算出し、この差分と操作しきい値１６１とを比較する。比較部１６は、ステップ１の「Ｙｅｓ」が成立する、すなわち操作しきい値１６１より大きい差分を有する検出点１６５が存在する場合（Ｓ１：Ｙｅｓ）、比較結果に応じた比較情報Ｓ３を生成し、制御部２０を介して分割部１８に出力する。
【００５６】
分割部１８は、比較情報Ｓ３に基づいて検出された検出点群１８０を８近傍で連結する８連結領域１８１に分割する（Ｓ２）。
【００５７】
また分割部１８は、８連結領域１８１にピーク点１８５が存在するか探索する（Ｓ３）。分割部１８は、ピーク点１８５が複数存在する場合（Ｓ４：Ｙｅｓ）、８連結領域１８１を４近傍で連結する４連結領域１８２に分割する（Ｓ５）。
【００５８】
分割部１８は、分割に応じて連結情報Ｓ４を生成し、制御部２０に出力する。制御部２０は、取得した連結情報Ｓ４に基づいて、８連結領域１８１及び４連結領域１８２に基づいて操作位置を算出し（Ｓ６）、操作情報Ｓ５として接続された電子機器に出力し（Ｓ７）、１周期分の動作を終了する。操作検出装置１は、次の周期においてステップ１から動作を開始する。
【００５９】
ここでステップ４において、分割部１８は、ピーク点１８５が１つであった場合（Ｓ４：Ｎｏ）、ピーク点１８５が１つである情報を含む連結情報Ｓ４を生成し、制御部２０に出力する。制御部２０は、この連結情報Ｓ４に基づいて１つのピーク点１８５を含む８連結領域１８１より操作位置を算出する（Ｓ６）。
【００６０】
（実施の形態の効果）
本実施の形態に係る操作検出装置１は、シングルタッチとマルチタッチを精度良く切り分けることができる。具体的には、操作検出装置１は、操作が検出された検出点群１８０を８近傍で連結する８連結領域１８１に分割し、分割した８連結領域１８１における操作位置を算出するので、操作指を寝かして操作面１０に接触させた場合であっても一つの領域として操作位置を算出するので、シングルタッチとマルチタッチを精度良く切り分けることができる。
【００６１】
操作検出装置１は、マルチタッチの場合、操作指が接触した領域に対応する４連結領域１８２ごとに操作位置を算出するので、操作指ごとの操作位置を検出することができる。
【００６２】
上述の実施の形態に係る操作検出装置１は、例えば、用途に応じて、その一部が、コンピュータが実行するプログラム、ＡＳＩＣ（Application Specific Integrated Circuit）及びＦＰＧＡ（Field Programmable Gate Array）等によって実現されても良い。
【００６３】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００６４】
１…操作検出装置、５…車両、８…表示装置、１０…操作面、１２…検出部、１３…駆動部、１４…読出部、１６…比較部、１８…分割部、２０…制御部、５０…フロアコンソール、９０〜９２…操作指、９５〜９７…接触領域、１０１…Ｘ電極、１０２…Ｙ電極、１０３…交点、１６０…基準値、１６１…操作しきい値、１６３，１６４…テーブル、１６５…検出点、１８０…検出点群、１８１…８連結領域、１８２…４連結領域、１８５…ピーク点
【図１】
2016218596.tif 000003
【図２】
2016218596.tif 000004
【図３】
2016218596.tif 000005